(57)【特許請求の範囲】
【請求項１】
撮像手段が撮像した画像を取り込む画像取込手段、
取り込まれた前記画像に含まれる商品に添付されたコードシンボルを検出し、当該コードシンボルに対応したコード情報を読み取るコード読取手段、
読み取った前記コード情報と、撮像した前記画像とを出力する出力手段を備えるコード読取装置と、
前記商品の売上を登録する店員を設定する設定手段、
出力された前記コード情報をもとに前記商品の売上を登録する売上登録手段、
前記店員を示す店員情報ごとに、当該店員が設定されている間に出力された前記画像を対応付けて記録する記録手段を備える売上登録装置と、
を有することを特徴とする店舗システム。
【請求項２】
前記売上登録手段は、一取引ごとに割り当てられた取引識別情報を付与して前記商品の売上を登録し、
前記記録手段は、付与された前記取引識別情報を含めて記録すること、
を特徴とする請求項１に記載の店舗システム。
【請求項３】
前記出力手段は、前記撮像手段が撮像した動画を出力し、
前記記録手段は、前記店員が設定されている間に出力された前記動画を、当該店員を示す店員情報と対応付けて記録すること、
を特徴とする請求項１又は２に記載の店舗システム。
【請求項４】
前記出力手段は、読み取った前記コード情報とともに、取り込まれた前記画像の中で前記コード情報の読み取りにかかる画像を出力し、
前記記録手段は、出力された前記コード情報と対応付けて、前記コード情報の読み取りにかかる画像を記録すること、
を特徴とする請求項１又は２に記載の店舗システム。
【請求項５】
撮像手段が撮像した画像に含まれる商品に添付されたコードシンボルを検出し、当該コードシンボルに対応したコード情報を読み取るコード読取手段と、
前記商品の売上を登録する店員を設定する設定手段と、
読み取られた前記コード情報をもとに前記商品の売上を登録する売上登録手段と、
前記店員を示す店員情報ごとに、当該店員が設定されている間に撮像した前記画像を対応付けて記録する記録手段と、
を備えることを特徴とする売上登録装置。
【請求項６】
撮像手段が撮像した画像に含まれる商品に添付されたコードシンボルを検出し、当該コードシンボルに対応したコード情報を読み取るコード読取手段を有する売上登録装置のコンピュータを、
前記商品の売上を登録する店員を設定する設定手段と、
読み取られた前記コード情報をもとに前記商品の売上を登録する売上登録手段と、
前記店員を示す店員情報ごとに、当該店員が設定されている間に撮像した前記画像を対応付けて記録する記録手段と、
して機能させるためのプログラム。
【発明の詳細な説明】
【技術分野】
【０００１】
本発明の実施形態は、店舗システム、売上登録装置及びプログラムに関する。
【背景技術】
【０００２】
従来、スーパーマーケット等の店舗では、商品に添付されたバーコードや二次元コード（例えばＱＲコード（登録商標））等のコードシンボルをＣＣＤイメージセンサ等のデジタルカメラによって撮像し、その撮像した画像から検出したコードシンボルを検出して復号することで商品コードを読み取る商品コード読取装置が用いられている。店員は、顧客がカウンタ台に持ち込んだ買物カゴの中の収められている商品を取り出して商品コード読取装置のデジタルカメラにかざすことで、顧客が購入する商品を登録する。
【発明の概要】
【発明が解決しようとする課題】
【０００３】
ところで、効率よく商品を登録するためには、商品に添付されたコードシンボルが検出され易いように、商品をデジタルカメラにかざす際の把持する部分や商品の向きに注意することが重要である。習熟度合いの高い店員は、商品をデジタルカメラにかざす場合、商品に添付されたコードシンボルが検出され易い状態を経験的に実現しているが、習熟度合いの低い店員はその状態を実現できない場合が多い。したがって、習熟度合いの低い店員への教育には、商品を読み取る際にデジタルカメラで撮像した画像を店員ごとに記録し、その店員ごとに記録した画像を見比べることなどが有効である。また、記録した画像については、商品開発にフィードバックすることで、商品に添付されたコードシンボルが検出され易いように、商品形状やコードシンボルの位置の改善に利用できる。
【０００４】
しかしながら、上述した従来技術では、商品を読み取る際にデジタルカメラで撮像した画像を店員ごとに記録することができなかった。したがって、例えば、商品の読み取りにかかる技術を店員同士で共有して店員への教育に利用することや、商品開発へのフィードバックを実現できなかった。
【課題を解決するための手段】
【０００５】
上述した課題を解決するために、本発明の実施形態は、画像取込手段、コード読取手段、出力手段を備えるコード読取装置と、設定手段、売上登録手段、記録手段を備える売上登録装置と、を有することを特徴とする店舗システムである。画像取込手段は、撮像手段が撮像した画像を取り込む。コード読取手段は、取り込まれた画像に含まれる商品に添付されたコードシンボルを検出し、そのコードシンボルに対応したコード情報を読み取る。出力手段は、読み取ったコード情報と、撮像した画像とを出力する。設定手段は、商品の売上を登録する店員を設定する。売上登録手段は、出力されたコード情報をもとに商品の売上を登録する。記録手段は、店員を示す店員情報ごとに、当該店員が設定されている間に出力された画像を対応付けて記録する。
【０００６】
また、本発明の実施形態は、コード読取手段と、設定手段と、売上登録手段と、記録手段と、を備えることを特徴とする売上登録装置である。コード読取手段は、撮像手段が撮像した画像に含まれる商品に添付されたコードシンボルを検出し、そのコードシンボルに対応したコード情報を読み取る。設定手段は、商品の売上を登録する店員を設定する。売上登録手段は、読み取られたコード情報をもとに商品の売上を登録する。記録手段は、店員を示す店員情報ごとに、当該店員が設定されている間に撮像した画像を対応付けて記録する。
【０００７】
また、本発明の実施形態は、撮像手段が撮像した画像に含まれる商品に添付されたコードシンボルを検出し、そのコードシンボルに対応したコード情報を読み取るコード読取手段を有する売上登録装置のコンピュータを、設定手段と、売上登録手段と、記録手段と、して機能させるためのプログラムである。設定手段は、商品の売上を登録する店員を設定する。売上登録手段は、読み取られたコード情報をもとに商品の売上を登録する。記録手段は、店員を示す店員情報ごとに、当該店員が設定されている間に撮像した画像を対応付けて記録する。
【図面の簡単な説明】
【０００８】
【図１】図１は、チェックアウトシステムを示す斜視図である。
【図２】図２は、ＰＯＳ端末及びコード読取装置のハードウェア構成を示すブロック図である。
【図３】図３は、撮像データ管理ファイルのデータ構成を例示する概念図である。
【図４】図４は、ＣＰＵの機能構成を示すブロック図である。
【図５】図５は、チェックアウトシステムの動作の一例を示すフローチャートである。
【図６】図６は、店員の設定からその店員の業務が終了するまでの様子を模式的に示した概念図である。
【発明を実施するための形態】
【０００９】
以下では、チェックアウトシステムを例に本実施形態にかかる店舗システム、売上登録装置及びプログラムを図面を参照して説明する。チェックアウトシステムは、一取引にかかる商品の登録、精算を行う売上登録装置としてのＰＯＳ端末と、商品に添付された商品コードなどを読み取るコード読取装置とを有する構成であり、店舗システムの一例である。本実施形態は、飲食店やスーパーマーケット等の店舗に導入されたチェックアウトシステムへの適用例である。
【００１０】
図１は、チェックアウトシステム１を示す斜視図である。図１に示すように、チェックアウトシステム１は、一取引にかかる商品の登録、精算を行うＰＯＳ端末１１を備える。ＰＯＳ端末１１は、チェックアウト台５１上のドロワ２１上面に載置されている。ドロワ２１は、ＰＯＳ端末１１によって開放動作の制御を受ける。ＰＯＳ端末１１の上面には、オペレータ（店員）によって押下操作されるキーボード２２が配置されている。キーボード２２を操作する店員から見てキーボード２２よりも奥側には、店員に向けて情報を表示する表示デバイス２３が設けられている。表示デバイス２３は、その表示面２３ａに情報を表示する。表示面２３ａには、タッチパネル２６が積層されている。表示デバイス２３よりもさらに奥側には、顧客用表示デバイス２４が回転自在に立設されている。顧客用表示デバイス２４は、その表示面２４ａに情報を表示する。なお、図１に示す顧客用表示デバイス２４は、表示面２４ａを図１中手前側に向けているが、表示面２４ａが図１中奥側に向くように顧客用表示デバイス２４を回転させることによって、顧客用表示デバイス２４は顧客に向けて情報を表示する。
【００１１】
ＰＯＳ端末１１が載置されているチェックアウト台５１とＬ字を形成するようにして、横長テーブル状のカウンタ台１５１が配置されている。カウンタ台１５１の上面には、荷受面１５２が形成されている。荷受面１５２には、バーコードＢＣが付された商品Ａを収納する買物カゴ１５３が載置される。買物カゴ１５３は、顧客によって持ち込まれる第１の買物カゴ１５３ａと、第１の買物カゴ１５３ａからコード読取装置１０１を挟んだ位置に位置付けられる第２の買物カゴ１５３ｂとに分けて考えることができる。
【００１２】
カウンタ台１５１の荷受面１５２には、ＰＯＳ端末１１とデータ送受信自在に接続されたコード読取装置１０１が設置されている。コード読取装置１０１は、薄型矩形形状のハウジング１０２を備える。ハウジング１０２の正面には読取窓１０３が配置されている。ハウジング１０２の上部には、表示・操作部１０４が取り付けられている。表示・操作部１０４には、タッチパネル１０５が表面に積層された表示デバイス１０６が設けられている。表示デバイス１０６の右隣にはキーボード１０７が配設されている。キーボード１０７の右隣には、図示しないカードリーダのカード読取溝１０８が設けられている。店員から見て表示・操作部１０４の裏面左奥側には、顧客に向けて設けられる表示装置であり、顧客に対して情報を表示するための顧客用表示デバイス１０９が設置されている。顧客用表示デバイス１０９の表示面には、顧客用タッチパネル１０９ａが積層されている。
【００１３】
顧客によって持ち込まれた第１の買物カゴ１５３ａには、一取引にかかる商品Ａが収納されている。商品Ａには、その商品Ａに関する商品コード（コード情報）が符号化されたバーコードＢＣが貼付されている。商品Ａは、店員の手によって第２の買物カゴ１５３ｂへと移動される。この移動過程で、バーコードＢＣがコード読取装置１０１の読取窓１０３に向けられる。この際、読取窓１０３の奥側に配置された撮像部１６４（図２参照）はバーコードＢＣを撮像する。コード読取装置１０１では、撮像部１６４により撮像された画像に含まれる商品Ａに添付されたバーコードＢＣを検出してデコード（復号）することで、商品Ａに対応した商品コードを読み取る。次いで、コード読取装置１０１は、読み取った商品コードをＰＯＳ端末１１へ出力する。
【００１４】
バーコードＢＣとして記述された商品コードは、商品Ａを特定するために商品ごとに割り当てられたコードであり、一例として１３桁の数字であるＪＡＮコードである。なお、本実施形態ではコードシンボルとしてバーコードＢＣを例に説明するが、コードシンボルはＱＲコード（登録商標）等の二次元コードであってもよいことは言うまでもない。
【００１５】
図２は、ＰＯＳ端末１１及びコード読取装置１０１のハードウェア構成を示すブロック図である。ＰＯＳ端末１１は、情報処理を実行する情報処理部としてのマイクロコンピュータ６０を備える。マイクロコンピュータ６０は、各種演算処理を実行し各部を制御するＣＰＵ６１（Central  Processing  Unit）に、ＲＯＭ６２（Read  Only  Memory）とＲＡＭ６３（Random  Access  Memory）とがバス接続されて構成されている。
【００１６】
ＰＯＳ端末１１のＣＰＵ６１には、前述したドロワ２１、キーボード２２、表示デバイス２３、タッチパネル２６、顧客用表示デバイス２４がいずれも各種の入出力回路（いずれも図示せず）を介して接続されている。これらは、ＣＰＵ６１による制御を受ける。
【００１７】
キーボード２２は、「１」、「２」、「３」…等の数字や「×」という乗算の演算子が上面に表示されているテンキー２２ｄ、仮締めキー２２ｅ、及び締めキー２２ｆを含む。キーボード２２は、テンキー２２ｄ、仮締めキー２２ｅ、及び締めキー２２ｆによる店員の操作入力をＣＰＵ６１へ出力する。キーボード２２は、店員からの操作を受け付ける操作手段である。ＰＯＳ端末１１では、店員からの操作をキーボード２２から受け付けることで各種設定を行う。例えば、店員ごとにユニークに割り当てられた英数字などであり、店員を示す店員情報であるキャッシャＩＤの入力を受け付けることで、商品Ａの売上登録などの操作を行う店員を設定する。
【００１８】
ＰＯＳ端末１１のＣＰＵ６１には、ＨＤＤ６４（Hard  Disk  Drive）が接続されている。ＨＤＤ６４には、プログラムや各種ファイルが記憶されている。ＨＤＤ６４に記憶されているプログラムや各種ファイルは、ＰＯＳ端末１１の起動時に、その全部又は一部がＲＡＭ６３にコピーされてＣＰＵ６１により順次実行される。ＨＤＤ６４に記憶されているプログラムの一例は、商品販売データ処理用のプログラムＰＲである。ＨＤＤ６４に記憶されているファイルの一例は、ストアコンピュータＳＣから配信されて格納されているＰＬＵファイルＦ１や、共有データベースＦ２である。
【００１９】
ＰＬＵファイルＦ１は、商品ごとにユニークに割り当てられた商品コードごとに、その商品の名称、単価、商品分類などの商品に関する情報を格納するファイルである。すなわち、ＰＬＵファイルＦ１は、商品コードに関連した関連情報として、その商品コードに対応した商品の名称、単価、商品分類などの情報を記憶している。ＰＯＳ端末１１では、コード読取装置１０１で読み取られた商品コードでＰＬＵファイルＦ１に記憶された情報を参照することで、読み取られた商品コードに対応した商品の売上を登録することができる。
【００２０】
共有データベースＦ２は、商品Ａの売上登録を行う際にコード読取装置１０１の撮像部１６４で撮像された画像データを、その売上登録の操作を行う店員として設定されたキャッシャＩＤと対応付けて管理するデータベースである。この共有データベースＦ２は、ＣＰＵ６１の制御の下、通信インターフェース２５よりストアコンピュータＳＣに配信されることで、ＰＯＳ端末１１だけでなく店舗全体で共有される。
【００２１】
具体的には、共有データベースＦ２は、撮像部１６４で撮像された動画や静止画の撮像データファイルＦ２１、撮像データファイルＦ２１とキャッシャＩＤとの対応を管理する撮像データ管理ファイルＦ２２などから構成される。撮像データファイルＦ２１は、ＭＰＥＧ（Moving  Picture  Experts  Group）形式の動画ファイルや、ＪＰＥＧ（Joint  Photographic  Experts  Group）形式の静止画ファイルであってよい。
【００２２】
図３は、撮像データ管理ファイルＦ２２のデータ構成を例示する概念図である。図３に示すように、撮像データ管理ファイルＦ２２は、「日時」、「キャッシャＩＤ」、「商品コード」、「商品名」、「商品分類」、「取引番号」、「撮像データ」などのデータ項目を有する。ここで、「日時」は、撮像された日時を格納する。「キャッシャＩＤ」は、売上登録の操作を行う店員として設定されたキャッシャＩＤを格納する。「商品コード」は、撮像された画像から読み取られた商品コードを格納する。「商品名」は、撮像された画像から読み取られた商品コードに対応した商品名を格納する。「商品分類」は、撮像された画像から読み取られた商品コードに対応した商品分類を格納する。「取引番号」は、売上登録の一取引に対して割り当てられ、付与された取引番号を格納する。「撮像データ」は、撮像データファイルＦ２１のファイル名などを格納する。
【００２３】
この撮像データ管理ファイルＦ２２を参照することで、例えばキャッシャＩＤが「ＸＸＸ」である店員がＸＸ年ＸＸ月ＸＸ日ＸＸ時００分００秒〜ＸＸ年ＸＸ月ＸＸ日ＸＸ時０５分００秒間の取引番号「１２３」の取引の間に売上登録の操作を行った際の動画は、ファイル名「ＸＸＸ．ｍｐｇ」として撮像データファイルＦ２１に格納されていることが判る。また、その取引において、商品コード「１１１」、商品名「牛乳」、商品分類「飲料」の商品の売上登録にかかる静止画像は、読み取りの日時がＸＸ年ＸＸ月ＸＸ日ＸＸ時００分１０秒であり、ファイル名「Ｘ０１．ｊｐｇ」として撮像データファイルＦ２１に格納されていることが判る。
【００２４】
ＰＯＳ端末１１のＣＰＵ６１には、ストアコンピュータＳＣとデータ通信を実行するための通信インターフェース２５が入出力回路（図示せず）を介して接続されている。ストアコンピュータＳＣは、店舗のバックヤード等に設置されている。ストアコンピュータＳＣのＨＤＤ（図示せず）には、ＰＯＳ端末１１に配信されるＰＬＵファイルＦ１や、ＰＯＳ端末１１から配信された共有データベースＦ２が格納されている。
【００２５】
ＰＯＳ端末１１のＣＰＵ６１には、コード読取装置１０１との間でデータ送受信を可能にする接続インターフェース６５が接続されている。したがって、接続インターフェース６５は、コード読取装置１０１に接続している。また、ＰＯＳ端末１１のＣＰＵ６１には、レシートなどに印字を行うプリンタ６６が接続されている。ＰＯＳ端末１１は、ＣＰＵ６１の制御のもと、一取引の取引内容（精算金額や付与されたポイント）等をレシートに印字する。
【００２６】
コード読取装置１０１も、マイクロコンピュータ１６０を備える。マイクロコンピュータ１６０は、ＣＰＵ１６１にＲＯＭ１６２とＲＡＭ１６３とがバス接続されて構成されている。ＲＯＭ１６２には、ＣＰＵ１６１によって実行されるプログラムが記憶されている。ＣＰＵ１６１には、撮像部１６４、音声出力部１６５が各種の入出力回路（いずれも図示せず）を介して接続されている。撮像部１６４、音声出力部１６５は、ＣＰＵ１６１によって動作が制御される。表示・操作部１０４は接続インターフェース１７６を介してＰＯＳ端末１１に接続されている。表示・操作部１０４はＰＯＳ端末１１のＣＰＵ６１によって動作が制御される。
【００２７】
撮像部１６４は、ＣＣＤイメージセンサやＣＯＭＳイメージセンサなどであり、ＣＰＵ１６１の制御の下で読取窓１０３からの撮像を行う。例えば撮像部１６４では３０ｆｐｓの動画の撮像を行う。撮像部１６４が所定のフレームレートで順次撮像したフレーム画像はＲＡＭ１６３に保存される。音声出力部１６５は、予め設定された警告音などを発生するための音声回路とスピーカなどである。音声出力部１６５は、ＣＰＵ１６１の制御の下で警告音などの音声による報知を行う。
【００２８】
さらに、ＣＰＵ１６１には、ＰＯＳ端末１１の接続インターフェース６５に接続して、ＰＯＳ端末１１との間でデータ送受信を可能にする接続インターフェース１７５が接続されている。ＣＰＵ１６１の制御の下、コード読取装置１０１の撮像部１６４によって撮像された画像から読み取られた商品コードは、接続インターフェース１７５を介して出力され、接続インターフェース６５を介してＰＯＳ端末１１に入力される。
【００２９】
次に、ＣＰＵ１６１、ＣＰＵ６１がプログラムを順次実行することで実現されるＣＰＵ１６１、ＣＰＵ６１の機能部について、図４を参照して説明する。図４は、ＣＰＵ１６１、ＣＰＵ６１の機能構成を示すブロック図である。図４に示すように、ＣＰＵ１６１は、プログラムを順次実行することにより、撮像画像取込部１６１１、バーコード読取部１６１２、情報出力部１６１３としての機能を備える。同様に、ＣＰＵ６１は、売上登録部６１１、撮像画像記録部６１２としての機能を備える。
【００３０】
撮像画像取込部１６１１は、撮像部１６４に撮像オン信号を出力して撮像部１６４に撮像動作を開始させる。撮像画像取込部１６１１は、撮像動作開始後に撮像部１６４が撮像してＲＡＭ１６３に保存されたフレーム画像を順次取り込む。撮像画像取込部１６１１によるフレーム画像の取り込みは、ＲＡＭ１６３に保存された順に行われる。
【００３１】
バーコード読取部１６１２は、撮像画像取込部１６１１により取り込まれたフレーム画像に含まれるコードシンボルを検出し、そのコードシンボルに対応した商品コード等のコード情報を読み取る。具体的には、取り込まれたフレーム画像を２値化した画像からパターンマッチング技術によるバーコードの検出や、所定のファインダパターンから二次元コードの検出などを行う。次いで、バーコード読取部１６１２は、検出したバーコードや二次元コードを所定の規則に従ったコード情報（例えばＪＡＮコード）に変換することで、検出したバーコードに対応したコード情報を読み取る。    
情報出力部１６１３は、バーコード読取部１６１２が読み取ったコード情報や、撮像部１６４が撮像した画像を接続インターフェース１７５を介してＰＯＳ端末１１へ出力する。
【００３２】
売上登録部６１１は、コード読取装置１０１から出力されたコード情報（商品コード）をもとにＰＬＵファイルＦ１を参照することで、バーコード読取部１６１２により読み取られた商品Ａを識別して、その識別した商品Ａの売上を登録する。売上登録部６１１は、一取引ごとにユニークな取引番号を割り当てて、商品Ａの売上を登録する際にこの取引番号を付与する。売上登録部６１１による売上の登録は、商品コード、数量、日時、取引番号などの情報を売上マスタファイル（図示しない）などに記録して行う。
【００３３】
撮像画像記録部６１２は、売上登録を行う店員として設定されたキャッシャＩＤと対応付けて、撮像部１６４が撮像し、ＰＯＳ端末１１より出力された画像を共有データベースＦ２に記録する。具体的には、ＰＯＳ端末１１より出力された画像データを所定のファイル名で撮像データファイルＦ２１に記録するとともに、そのファイル名と設定されたキャッシャＩＤとの対応を、売上登録の取引に割り当てられている取引番号や日時も含めて撮像データ管理ファイルＦ２２に記録する。
【００３４】
また、撮像画像記録部６１２は、コード読取装置１０１から商品コードとともに、その商品コードの読み取りにかかるフレーム画像が出力された場合には、その商品コードと対応付けて出力されたフレーム画像を共有データベースＦ２に記録する。具体的には、ＰＯＳ端末１１より出力されたフレーム画像を所定のファイル名で撮像データファイルＦ２１に記録するとともに、そのファイル名と設定されたキャッシャＩＤとの対応を、商品コード、その商品コードにかかる商品名や商品分類、売上登録の取引に割り当てられている取引番号、日時も含めて撮像データ管理ファイルＦ２２に記録する。
【００３５】
次に、チェックアウトシステム１の動作について詳細に説明する。図５は、チェックアウトシステム１の動作の一例を示すフローチャートである。
【００３６】
先ず、コード読取装置１０１側の動作について説明する。図５に示すように、店員の設定（Ｓ１０）などの後に、ＰＯＳ端末１１による商品登録の開始などに応じて処理が開始されると、撮像画像取込部１６１１は、撮像部１６４に撮像オン信号を出力して撮像部１６４による撮像を開始する（Ｓ１）。次いで、情報出力部１６１３は、撮像部１６４が撮像した画像（動画）のＰＯＳ端末１１への出力を開始する（Ｓ２）。具体的には、情報出力部１６１３は、撮像部１６４が撮像したフレーム画像を順次ＰＯＳ端末１１へ出力する。
【００３７】
次いで、撮像画像取込部１６１１は、撮像部１６４が撮像してＲＡＭ１６３に保存されたフレーム画像（撮像画像）を取り込む（Ｓ３）。次いで、バーコード読取部１６１２は、撮像画像取込部１６１１により取り込まれたフレーム画像に含まれるバーコードを検出し、そのバーコードに対応した商品コードを読み取る（Ｓ４）。
【００３８】
次いで、情報出力部１６１３は、バーコード読取部１６１２が読み取った商品コードなどの読取情報と、その商品コードの読み取りにかかるフレーム画像とを接続インターフェース１７５を介してＰＯＳ端末１１へ出力する（Ｓ５）。
【００３９】
次いで、ＣＰＵ１６１は、ＰＯＳ端末１１からの終了の通知などにより、操作する店員の業務終了の有無を判定する（Ｓ６）。業務を継続する場合（Ｓ６：ＮＯ）、ＣＰＵ１６１は、Ｓ３へ処理を戻して処理を継続させる。この場合は、操作する店員の業務が継続されることから、撮像部１６４が撮像した画像（動画）のＰＯＳ端末１１への出力は継続される。業務を終了する場合（Ｓ６：ＹＥＳ）、情報出力部１６１３は、撮像部１６４が撮像した画像（動画）のＰＯＳ端末１１への出力を終了する（Ｓ７）。次いで、撮像画像取込部１６１１は、撮像部１６４に撮像オフ信号を出力して撮像部１６４による撮像を終了し（Ｓ８）、処理を終了する。
【００４０】
次に、ＰＯＳ端末１１側の動作について説明する。図５に示すように、処理が開始されると、ＣＰＵ６１は、キーボード２２からキャッシャＩＤの入力を受け付けることで、商品Ａの売上登録などの操作を行う店員を設定する（Ｓ１０）。次いで、撮像画像記録部６１２は、Ｓ１０により設定されたキャッシャＩＤで、ＰＯＳ端末１１から出力される、撮像部１６４が撮像した画像（動画）の共有データベースＦ２への記録を開始する（Ｓ１１）。この際には、開始日時が撮像データ管理ファイルＦ２２の「日時」に格納される。また、取引番号が割り当てられている場合には、その取引番号も撮像データ管理ファイルＦ２２に格納される。
【００４１】
次いで、売上登録部６１１は、ＰＯＳ端末１１から出力された読取情報（商品コード）をもとに商品Ａの売上を登録する（Ｓ１２）。次いで、撮像画像記録部６１２は、商品コードとともにＰＯＳ端末１１から出力された、その商品コードの読み取りにかかるフレーム画像を、Ｓ１０により設定されたキャッシャＩＤと対応付けるとともに、売上登録した日時と、商品コードとを含めて共有データベースＦ２へ記録する（Ｓ１３）。
【００４２】
次いで、ＣＰＵ６１は、キーボード２２の操作指示などにより、操作する店員の業務終了の有無を判定する（Ｓ１４）。業務を継続する場合（Ｓ１４：ＮＯ）、ＣＰＵ６１は、Ｓ１２へ処理を戻して処理を継続させる。この場合は、操作する店員の業務が継続されることから、撮像部１６４が撮像した画像（動画）の共有データベースＦ２への記録が継続される。
【００４３】
業務を終了する場合（Ｓ１４：ＹＥＳ）、ＣＰＵ６１は終了をＰＯＳ端末１１へ通知する（Ｓ１５）。次いで、撮像画像記録部６１２は、撮像部１６４が撮像した画像（動画）の共有データベースＦ２への記録を終了する（Ｓ１６）。この際には、終了日時が撮像データ管理ファイルＦ２２の「日時」に格納される。したがって、ＰＯＳ端末１１では、操作する店員が設定されてからその店員が業務を終了まで、すなわち、店員が設定されている間に撮像部１６４が撮像した画像（動画）がその店員を示すキャッシャＩＤと対応付けて共有データベースＦ２へ記録される。次いで、ＣＰＵ６１は、Ｓ１０による店員の設定を解除し、処理を終了する（Ｓ１７）。
【００４４】
図６は、店員Ｈの設定からその店員Ｈの業務が終了するまでの様子を模式的に示した概念図である。図６に示すように、本実施形態では、キャッシャＩＤが「ＸＸＸ」の店員の設定から業務の終了までに、コード読取装置１０１の読み取りに用いられた動画が「ＸＸＸ．ｍｐｇ」として撮像データファイルＦ２１に記録され、キャッシャＩＤが「ＸＸＸ」との対応が撮像データ管理ファイルＦ２２に記録される（図３参照）。このように、店員が設定されている間にコード読取装置１０１で撮像された動画を、その店員のキャッシャＩＤと対応付けて記録することで、店員ごとに記録した動画を見比べるなどの、商品の読み取りにかかる技術の教育などへ用いることができる。
【００４５】
また、本実施形態では、キャッシャＩＤが「ＸＸＸ」の店員がＸＸ年ＸＸ月ＸＸ日ＸＸ時００分１０秒に読み取った商品Ａの読み取り画像が「Ｘ０１．ｊｐｇ」として撮像データファイルＦ２１に記録され、商品Ａの商品コードとの対応が撮像データ管理ファイルＦ２２に記録される（図３参照）。このように、商品Ａの読み取り画像をその商品Ａの商品コードと対応付けて記録することで、特定の商品Ａの読み取りにかかる技術の教育などへ用いることができる。また、撮像データ管理ファイルＦ２２には一取引ごとに割り当てられた取引番号を含めて記録することから、取引番号による読み取り画像の検索を行うことが可能である。
【００４６】
なお、本実施形態では、商品Ａの読み取り画像として一フレーム分の静止画を例示したが、「Ｘ０１．ｊｐｇ」の前後数フレーム分の動画を撮像データファイルＦ２１に記録してもよい。この場合は、商品Ａの読み取りに至る過程も確認することができる。
【００４７】
本実施形態のＰＯＳ端末１１、コード読取装置１０１で実行されるプログラムは、ＲＯＭ等に予め組み込まれて提供される。本実施形態のＰＯＳ端末１１、コード読取装置１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４８】
さらに、本実施形態のＰＯＳ端末１１、コード読取装置１０１で実行されるプログラムを、インターネット等のネットワークに接続されたコンピュータ上に格納し、ネットワーク経由でダウンロードさせることにより提供するように構成しても良い。また、本実施形態のＰＯＳ端末１１、コード読取装置１０１で実行されるプログラムをインターネット等のネットワーク経由で提供または配布するように構成しても良い。
【００４９】
本実施形態のＰＯＳ端末１１、コード読取装置１０１で実行されるプログラムは、上述した各部（売上登録部６１１、撮像画像記録部６１２、撮像画像取込部１６１１、バーコード読取部１６１２、情報出力部１６１３）を含むモジュール構成となっており、実際のハードウェアとしてはＣＰＵ（プロセッサ）が上記ＲＯＭからプログラムを読み出して実行することにより上記各部が主記憶装置上にロードされ、売上登録部６１１、撮像画像記録部６１２、撮像画像取込部１６１１、バーコード読取部１６１２、情報出力部１６１３が主記憶装置上に生成されるようになっている。
【符号の説明】
【００５０】
１  チェックアウトシステム
１１  ＰＯＳ端末
２２  キーボード
６１  ＣＰＵ
６４  ＨＤＤ
１０１  コード読取装置
１０４  表示・操作部
１６１  ＣＰＵ
１６４  撮像部
１６１１  撮像画像取込部
１６１２  バーコード読取部
１６１３  情報出力部
６１１  売上登録部
６１２  撮像画像記録部
ＢＣ  バーコード
Ａ  商品
Ｈ  店員
Ｆ２  共有データベース
Ｆ２１  撮像データファイル
Ｆ２２  撮像データ管理ファイル
【先行技術文献】
【特許文献】
【００５１】
【特許文献１】特開２００８−３３６４０公報
【図１】
0005341844.tif 000002
【図２】
0005341844.tif 000003
【図３】
0005341844.tif 000004
【図４】
0005341844.tif 000005
【図５】
0005341844.tif 000006
【図６】
0005341844.tif 000007